(57)【要約】      （修正有）【課題】部品点数が少なく、しかも簡単な作業でアーチ型支柱の頂部どうしを連結させることが可能なアーチ型支柱連結具、および、これを用いて作業性良く組み立てすることが可能なアーチ型枠体を提供する。【解決手段】畑の育苗エリアの長手方向に所要間隔をあけて設置されたアーチ型支柱２０どうしの頂部間に架設されるアーチ型支柱連結具１０であって、直状の本体部と、本体部の両端部に設けられ、隣り合うアーチ型支柱２０の頂部に各々嵌合可能な嵌合部を有し、本体部の一方の端部と他方の端部に設けられた嵌合部は、相互に補完する凹凸配置で形成されており、アーチ型支柱１０の頂部に嵌合することによって複数の本体部どうしが一直線上に連結されることを特徴とするアーチ型支柱連結具１０とこれを用いたアーチ型枠体３０である。【選択図】図１
0003170954.tif 000002
【実用新案登録請求の範囲】
【請求項１】
畑の育苗エリアの長手方向に所要間隔をあけて設置されたアーチ型支柱どうしの頂部間に架設されるアーチ型支柱連結具であって、
前記アーチ型支柱連結具は、直状の本体部と、当該本体部の両端部に設けられ、隣り合う前記アーチ型支柱の頂部に各々嵌合可能な嵌合部とを有し、
前記本体部の一方の端部と他方の端部に設けられた前記嵌合部は、相互に補完する凹凸配置で形成されており、前記アーチ型支柱の頂部に嵌合することによって複数の前記本体部どうしが一直線上に連結されることを特徴とするアーチ型支柱連結具。
【請求項２】
前記嵌合部は嵌合部分における断面形状が略円弧状に形成されていて、当該嵌合部分の内径寸法が前記アーチ型支柱の外径寸法以下に形成されていることを特徴とする請求項１記載のビニールトンネル用のアーチ型支柱連結具。
【請求項３】
前記嵌合部は、保持部材を介して前記本体部に取り付けられていることを特徴とする請求項２記載のビニールトンネル用のアーチ型支柱連結具。
【請求項４】
前記保持部材は、前記アーチ型支柱のアーチ形状に倣った形状に形成されていることを特徴とする請求項３記載のビニールトンネル用のアーチ型支柱連結具。
【請求項５】
前記本体部は、前記アーチ型支柱のアーチ形状に倣った形状に形成された板材によりなることを特徴とする請求項４記載のビニールトンネル用のアーチ型支柱連結具。
【請求項６】
前記本体部の一方の端部に配設されている前記嵌合部において、最も外側に位置する前記嵌合部の外側端縁どうしの離間寸法は、前記本体部の幅寸法以下であることを特徴とする請求項５記載のビニールトンネル用のアーチ型支柱連結具。
【請求項７】
前記本体部の他方の端部に配設されている前記嵌合部において、最も外側に位置する前記嵌合部の外側端縁どうしの離間寸法は、前記本体部の幅寸法以下であることを特徴とする請求項６記載のビニールトンネル用のアーチ型支柱連結具。
【請求項８】
畑の育苗エリアの長手方向に所要間隔をあけて設置された複数のアーチ型支柱の頂部が請求項１〜７のうちのいずれか一項に記載のアーチ型支柱連結具によって連結されていることを特徴とするアーチ型枠体。
【考案の詳細な説明】
【技術分野】
【０００１】
本考案は、アーチ型支柱の頂部間を連結するアーチ型支柱連結具およびこれを用いたアーチ型枠体に関する。
【背景技術】
【０００２】
野菜等の苗木を栽培する際において、霜害等の外部環境による弊害を防止するために、苗木の周囲をシート材によりアーチ型（逆Ｕ字型）に被覆して苗木を保護する、育苗用シート材が知られている。このような育苗用シート材をアーチ型に被覆する際には、骨組み材としてアーチ型支柱が用いられる。このアーチ型支柱は、育苗エリアの長手方向に所要間隔をあけて両端を設置面に埋設されており、アーチ型支柱どうしの倒れこみを防止するために、アーチ型支柱の頂部間がアーチ型支柱連結具により連結されることによりアーチ型枠体が形成される。
このようなアーチ型枠体としては、例えば、特許文献１に開示されている構成を有するものが知られている。
【先行技術文献】
【特許文献】
【０００３】
【特許文献１】特開２０１０−１６６８３４号公報
【考案の概要】
【考案が解決しようとする課題】
【０００４】
特許文献１には、いわゆるビニールトンネルの奥行き方向に所要間隔をあけて配設された複数の折り畳み可能なアーチ型支柱の頂点部分をそれぞれ架け渡すようにしてアーチ型支柱連結具（横繋ぎ杆）を配設し、バンド部材を用いてアーチ型支柱とアーチ型支柱連結具との交差部分を容易に連結させることが可能な構成が開示されている。このような構成においては、バンド部材を紛失してしまうと、アーチ型支柱とアーチ型支柱連結具との連結ができなくなってしまうおそれがあるという課題がある。
また、アーチ型支柱の頂部どうしをアーチ型支柱連結具で連結する作業は、育苗エリアの中央位置であるため作業者の手が届きにくく作業性が悪いという課題も有している。
【０００５】
そこで本考案は、いわゆるビニールトンネルの骨組み材であるアーチ型支柱とアーチ型支柱連結具を連結する際において、部品点数が少なく、しかも簡単な作業でアーチ型支柱の頂部どうしを連結させることが可能なアーチ型支柱連結具、および、これを用いて作業性良く組み立てすることが可能なアーチ型枠体を提供することを目的としている。
【課題を解決するための手段】
【０００６】
上記課題を解決するために本考案者は鋭意研究を行った結果、以下の構成に想到した。
すなわち、畑の育苗エリアの長手方向に所要間隔をあけて設置されたアーチ型支柱どうしの頂部間に架設されるアーチ型支柱連結具であって、前記アーチ型支柱連結具は、直状の本体部と、当該本体部の両端部に設けられ、隣り合う前記アーチ型支柱の頂部に各々嵌合可能な嵌合部とを有し、前記本体部の一方の端部と他方の端部に設けられた前記嵌合部は、相互に補完する凹凸配置で形成されており、前記アーチ型支柱の頂部に嵌合することによって複数の前記本体部どうしが一直線上に連結されることを特徴とするアーチ型支柱連結具である。
【０００７】
また、前記嵌合部は嵌合部分における断面形状が略円弧状に形成されていて、当該嵌合部分の内径寸法が前記アーチ型支柱の外径寸法以下に形成されていることが好ましい。これにより、アーチ型支柱にアーチ型支柱連結具の嵌合部を嵌合させる際およびアーチ型支柱とアーチ型支柱連結具との連結を解除する際の両方において嵌合処理および分解処理をより簡単に行うことができる。
【０００８】
また、前記嵌合部は、保持部材を介して前記本体部に取り付けられていることが好ましい。これにより、本体部と嵌合部を別々の形成した後に、一体化させることが容易になると共に、保持部材の長さを調整すれば嵌合部の嵌合位置の間隔を広げることができ、アーチ型枠体の構成を頑丈にすることができる。
さらには、前記保持部材は、前記アーチ型支柱のアーチ形状に倣った形状に形成されていることが好ましい。これにより、嵌合部の配設間隔を広げても、嵌合部が本体部から突出せず、合成樹脂シートの不用意な伸びを防止することができる。よって、ビニールトンネルの寿命や、合成樹脂製シートの再利用回数を増やすことができる点で好都合である。
【０００９】
また、前記本体部は、前記アーチ型支柱のアーチ形状に倣った形状に形成された板材によりなることが好ましい。これにより、アーチ型枠体の外表面に合成樹脂製シートを装着した際に、アーチ型枠体（ビニールトンネル）の頂上部分におけるアーチ型支柱連結具の突出を抑え、合成樹脂シートの不用意な伸びを防止することができ、ビニールトンネルの寿命や、合成樹脂製シートの再利用回数を増やすことができる点で好都合である。
【００１０】
さらに、前記本体部の一方の端部に配設されている前記嵌合部において、最も外側に位置する前記嵌合部の外側端縁どうしの離間寸法は、前記本体部の幅寸法以下であることが好ましい。
また、前記本体部の他方の端部に配設されている前記嵌合部において、最も外側に位置する前記嵌合部の外側端縁どうしの離間寸法は、前記本体部の幅寸法以下であることが好ましい。
これらにより、骨組み材の外表面に合成樹脂製シートを装着した際に、骨組み材（ビニールトンネル）の頂上（頂点）部分におけるアーチ型支柱連結具を架け渡し方向において同一幅寸法にすることができるため、アーチ型支柱連結具における嵌合部の突出を抑え、合成樹脂シートの不用意な伸びを防止することができる。よって、ビニールトンネルの寿命や、合成樹脂製シートの再利用回数を増やすことができる点で好都合である。
【００１１】
また、他の考案としては、畑の育苗エリアの長手方向に所要間隔をあけて設置された複数のアーチ型支柱の頂部が上記のいずれかに記載されているアーチ型支柱連結具によって連結されていることを特徴とするアーチ型枠体とすることもできる。
【考案の効果】
【００１２】
本考案にかかるアーチ型支柱連結具およびこれを用いたアーチ型枠体の構成によれば、いわゆるビニールトンネルの骨組み材であるアーチ型支柱とアーチ型支柱連結具を連結する際において、部品点数が少なく、しかも簡単な作業でアーチ型支柱の頂部どうしを連結させることが可能になる。また、アーチ型枠体を作業性良く組み立てすることが可能になり作業者の組み立て労力を軽減することができる。
【図面の簡単な説明】
【００１３】
【図１】作物用のビニールトンネルを示す斜視図である。
【図２】第１の実施形態にかかるアーチ型支柱連結具の平面図である。
【図３】第１の実施形態にかかるアーチ型支柱連結具の正面図である。
【図４】第２の実施形態にかかるアーチ型支柱連結具の平面図である。
【図５】第２の実施形態にかかるアーチ型支柱連結具の正面図である。
【図６】第３の実施形態にかかるアーチ型支柱連結具の平面図である。
【図７】第３の実施形態にかかるアーチ型支柱連結具の正面図である。
【考案を実施するための形態】
【００１４】
以下、本考案にかかるアーチ型支柱連結具の実施形態について図面に基づいて詳細に説明する。
【００１５】
（第１の実施形態）
本実施形態にかかるアーチ型支柱連結具１０は、図１に示すような作物用のビニールトンネル１００において、アーチ状（逆Ｕ字状または半円弧状）をなすパイプ等の長尺体により形成されたアーチ型支柱２０と共にビニールトンネル１００の骨組み材であるアーチ型枠体３０を構成するものである。アーチ型枠体３０は、畑等の育苗エリアの奥行き方向において、所要間隔をあけて複数のアーチ型支柱２０，２０，・・・が配設され、ビニールトンネル１００の奥行き方向に隣接するアーチ型支柱２０，２０の頂部どうしをアーチ型支柱連結具１０により互いに連結することで形成されている。なお、アーチ型支柱２０の両端部は所要深さまで地中に埋設されている。このようにアーチ型支柱連結具１０は、ビニールトンネル１００（アーチ型枠体３０）の奥行き方向において隣接する２つのアーチ型支柱２０，２０のみを連結するものであるため、アーチ型枠体３０を構築する際においてアーチ型枠体３０の奥行き方向の寸法を任意の寸法に形成しやすくなる点で好都合である。
【００１６】
ビニールトンネル１００は、アーチ型枠体３０の外表面を合成樹脂製のシート５０により被覆することにより形成される。また、合成樹脂製のシート５０の外表面を紐状体６０で押さえることで合成樹脂製のシート５０のばたつきを防止することができる。紐状体６０はアンカー７０により地表面に適宜固定すればよい。なお、紐状体６０およびアンカー７０の配設は必要に応じて選択的に行えばよく、紐状体６０およびアンカー７０の配設は省略しても構わない。
【００１７】
アーチ型支柱連結具１０は、図２および図３に示すように、板状（直状）に形成された本体部１２と本体部１２の両端部に設けられた嵌合部１４とを有している。本体部１２は図２中のＡ−Ａ線における断面形状が円弧状をなしている。本実施形態においては、この本体部１２の断面形状における円弧の曲線をアーチ型支柱２０のアーチ部分の曲線に倣わせている。また、本体部１２の一方の端部には、２つの嵌合部１４，１４が本体部１２の長手方向（ビニールトンネル１００およびアーチ型枠体３０の奥行き方向）に直交する方向に保持部材１６を介して所要間隔Ｓをあけて取り付けられている。これら２つの嵌合部１４，１４の外側端縁どうしの離間距離Ｗは、本体部１２の幅寸法Ｂと等しく形成されている。そして本体部１２の両端部に設けられた保持部材１６もまた、本体部１２の断面形状に倣った円弧状形状に形成されている。
【００１８】
本体部１２の他方の端部には、本体部１２に一体に形成された保持部材１６を介して嵌合部１４が取り付けられている。本体部１２の他方の端部に設けられた嵌合部１４は、本体部１２の長手方向の中心線上に設けられていて、かつ、嵌合部１４の幅寸法Ｈは本体部１２の一方の端部における２つの嵌合部１４，１４の配設間隔Ｓ以下の寸法となるように形成されている。
すなわち、本体部１２の一方の端部における嵌合部１４と、本体部１２の他方における嵌合部１４とは、互いに補完する凹凸配列となるように配設されている。
【００１９】
以上のように形成した本体部１２を採用することにより、ビニールトンネル１００（アーチ型枠体３０）の奥行き方向にアーチ型支柱２０の頂部間にアーチ型支柱連結具１０を連結させると、それぞれの嵌合部１４が本体部１２の幅方向において凹凸状態が互いに補完されることになる。すなわち、すべてのアーチ型支柱連結部１０がビニールトンネル１００（アーチ型枠体３０）の奥行き方向に一直線配列となるように連結することができる。
【００２０】
また、本体部１２の断面形状および保持部材１６の曲率半径は、アーチ型支柱２０のアーチ形状の曲率半径とほぼ一致しているから、ビニールトンネル１００の外観形状をきれいに形成することができる。また、ビニールトンネル１００の頂上部分における合成樹脂製シート５０との接触面積を増やすことができるので、合成樹脂シート５０の不本意な伸び等を防止でき、ビニールトンネル１００の寿命はもちろんのこと、合成樹脂製シート５０の繰り返し利用回数を増やすことができる点においても好都合である。
【００２１】
また、図３に示すように嵌合部１４は、嵌合部分における断面形状が略Ｃ字状をなす円弧形状に形成されている。嵌合部１４の円弧形状部の内径寸法は、アーチ型支柱２０の外径寸法と等しく形成するか、アーチ型支柱２０の外形寸法よりもわずかに小径寸法に形成されていることが好ましい。このように形成された嵌合部１４を採用することにより、アーチ型支柱２０にアーチ型支柱連結具１０を連結させる際は、嵌合部１４の弾性変形を利用してアーチ型支柱２０を嵌合部１４の開口部分から押し込むようにするだけでよく、ワンタッチ方式で嵌合部１４をアーチ型支柱２０に嵌合させることができ、作業性が良好である。また、アーチ型支柱２０とアーチ型支柱連結具１０との嵌合状態を解除する場合には、嵌合時（連結時）と逆の手順を実行すればよい。
【００２２】
（第２の実施形態）
図４および図５は第２の実施形態にかかるビニールトンネル用のアーチ型支柱連結具の平面図および正面図である。本実施形態においては第１実施形態で説明した構成と同様の構成については第１実施形態で用いた符号を用いることで、ここでの詳細な説明は省略している。
本実施形態にかかるアーチ型支柱連結具１０は、本体部１２の幅寸法Ｂが第１実施形態に比較して大幅に幅狭寸法に形成されている。具体的には、本体部１２の幅寸法Ｂは他方の端部における嵌合部１４の幅寸法Ｈよりも幅狭寸法に形成されている。
【００２３】
このような本体部１２の形態を採用することにより、本体部１２を単純な平板により構成させることができ、アーチ型支柱連結具１０の製造コストを低減させることができる。このような場合においては、本体部１２の一方の端部においては保持部材１６を介することにより嵌合部１４，１４を所要間隔Ｓに離反させた状態で取り付けを行っている。これに対して本体部１２の他方の端部においては、嵌合部１４は本体部１２に直接取り付けられている。本実施形態においても、本体部１２の一方の端部における嵌合部１４の幅寸法Ｈは、本体部１２の他方の端部における嵌合部１４の配設間隔Ｓ以下に形成されている。この保持部材１６はアーチ型支柱２０のアーチ部分の曲線に倣った形状に形成されていれば好適である。
【００２４】
このような第２の実施形態においては、本体部１２の上面がアーチ型枠体３０（ビニールトンネル１００）の頂点部分に位置しないことになるが、嵌合部１４の上面がアーチ型支柱２０のアーチ形状に倣った円弧状に形成されているから、嵌合部１４がビニールトンネル１００の合成樹脂製シート５０にくいこんでしまうことはない。
【００２５】
（第３の実施形態）
図６および図７は第３の実施形態にかかるビニールトンネル用のアーチ型支柱連結具の平面図および正面図である。本実施形態にかかるビニールトンネル用のアーチ型支柱連結具１０は、本体部１２の両端部に２つずつ保持部材１６を介して嵌合部１４が取り付けられている。図６からも明らかなとおり、本体部１２の一方の端部に設けられた嵌合部１４Ａ，１４Ｂと、本体部１２の他方の端部に設けられた嵌合部１４Ｃ，１４Ｄとは、嵌合部１４Ａ，１４Ｃ，１４Ｂ，１４Ｄの順で千鳥配列をなしている点、および、嵌合部１４Ａ，１４Ｂ，１４Ｃ，１４Ｄの幅寸法がそれぞれ等しく、本体部１２の幅寸法Ｂの４分の１以下に形成されている点が特徴的である。
【００２６】
このように形成された幅寸法の嵌合部１４Ａ，１４Ｂ，１４Ｃ，１４Ｄを採用することで、アーチ型支柱連結具１０をビニールトンネル１００の奥行き方向に延長させる際に、互いに隣接するアーチ型支柱連結具１０の嵌合部１４Ａ，１４Ｂ，１４Ｃ，１４Ｄが本体部１２の幅方向の形状に沿って（アーチ型支柱２０のアーチ形状に沿って）に連続することになる。これにより、ビニールトンネル１００の奥行き方向におけるアーチ型支柱連結具１０の幅寸法が、本体部１２およびアーチ型支柱連結具１０どうしの連結部分（嵌合部１４）のいずれにおいても一定幅を維持することができる。すなわち、第１の実施形態と同様の作用効果を得ることができることに加え、嵌合部１４の嵌合数が増加するので骨組み材３０の剛性を向上させることができる点においても好都合である。
【００２７】
以上に本考案にかかるビニールトンネル用のアーチ型支柱連結具１０について複数の実施形態に基づいて説明したが、本考案の技術的範囲は以上の実施形態に限定されるものではなく、考案の技術的思想を逸脱しない範囲であれば適宜改変を行うことができるのはもちろんである。例えば、アーチ型支柱連結具１０の嵌合部１４の配設数は、以上に示した実施形態で説明した数に限定されるものではない。
また、以上の実施形態においては、嵌合部１４は本体部１２の少なくとも一方の端部に保持部材１６を介して取り付けられている形態について説明しているが、本体部１２の両端部分において嵌合部１４をそれぞれ直接取り付けるようにした形態を採用してもよい。
【００２８】
また、第２の実施形態においては、本体部１２を平板および湾曲させた平板により構成しているが、これらのような板状の材料ではなく棒状材料等により本体部１２を構成してもよい。
そして嵌合部１４は、いずれの実施形態においても嵌合部分が円弧状の断面形状に形成されているが、嵌合部１４の嵌合部分の断面形状は、アーチ型支柱２０に外側から嵌合することができればよく、円弧状断面の他、コの字型の断面形状を採用することもできる。
【００２９】
また、以上の実施形態においては、アーチ状枠体３０の外表面に合成樹脂製シート５０を被覆してなるビニールトンネル１００の形態について説明しているが、合成樹脂製シート５０に代えて合成樹脂製のメッシュシートを用いて通気性のあるビニールトンネル１００とすることもできる。アーチ状の枠体３０の外表面に被覆する被覆材は使用目的に応じて適宜選択すればよい。
また、以上に説明した実施形態の一部の構成を他の実施形態に追加した形態や、互いの実施形態の構成の一部を適宜組み合わせた実施形態を採用することができるのはもちろんである。
【符号の説明】
【００３０】
１０  アーチ型支柱連結具
１２  本体部
１４  嵌合部
１６  保持部材
２０  アーチ型支柱
３０  アーチ型枠体
５０  合成樹脂製シート
６０  紐状体
７０  アンカー
１００  ビニールトンネル
【図１】
0003170954.tif 000003
【図２】
0003170954.tif 000004
【図３】
0003170954.tif 000005
【図４】
0003170954.tif 000006
【図５】
0003170954.tif 000007
【図６】
0003170954.tif 000008
【図７】
0003170954.tif 000009